(57)【要約】    非空気圧式又は空気圧式タイヤは、タイヤのしるし又は標示のための区域を含む。タイヤは、ハブ領域とトレッド層とを含む。タイヤのトレッド層は、タイヤトレッド層のショルダーの周囲に部分的に又は全体的に延在する切り抜き部を有するショルダーを有する。切り欠き部分又は面取りされた部分の角度は、トレッド層ショルダーに沿った軸方向に対して４５〜１３５°であり、少なくとも１つのしるしが、少なくとも１つの平坦な表面上に配設されている。標示の配置は、切り抜き部分の表面に沿って径方向であってもよく、又は切り抜き部分の表面に沿って軸方向であってもよい。標示は、切り抜き部分に凹んでいるか、刻印されているか、成形されているか、塗装されているか、又はインクで適用されていてもよい。あるいは、しるし又は標示は、デカールに適用され、切り抜き部分に適用されてもよい。  【選択図】図２Ａ
2022502303.tif 000002
【特許請求の範囲】
【請求項１】
タイヤであって、
回転軸を有するハブ領域と、
前記ハブ領域から延在する支持構造体と、
前記支持構造体の周囲に周方向に延在するトレッド層であって、
前記トレッド層が、前記トレッド層全体の周囲に周方向に延在する切り抜き部分を有するショルダーを有し、
前記切り抜き部分が、前記ショルダーに沿って少なくとも１つの平坦な表面を有し、
前記少なくとも１つの平坦な表面が、軸方向に対して４５〜１３５°の角度で配設されている、トレッド層と、
前記少なくとも１つの平坦な表面上に配設された少なくとも１つのしるしと、を含む、タイヤ。
【請求項２】
前記支持構造体が、複数のスポークである、請求項１に記載のタイヤ。
【請求項３】
前記支持構造体が、ウェビングである、請求項１に記載のタイヤ。
【請求項４】
前記切り抜き部分が、直角を形成している、請求項１に記載のタイヤ。
【請求項５】
前記切り抜き部分が、面取りされた縁部である、請求項１に記載のタイヤ。
【請求項６】
前記少なくとも１つの平坦な表面が、刻印された標示を有する、請求項１に記載のタイヤ。
【請求項７】
前記刻印された標示が、前記トレッド層に垂直な前記切り抜き部分の径方向に延在する部分上にある、請求項６に記載のタイヤ。
【請求項８】
前記少なくとも１つの平坦な表面が、凹状の標示を有する、請求項１に記載のタイヤ。
【請求項９】
前記凹状の標示が、前記トレッド層に垂直な前記切り抜き部の径方向に延在する部分上にある、請求項８に記載のタイヤ。
【請求項１０】
前記しるしが、前記平坦な表面に貼り付けられたアップリケ上に配設される、請求項１に記載のタイヤ。
【請求項１１】
摩耗部から遮蔽されたしるし標示の区域を有するタイヤを製造するための方法であって、前記方法が、
ハブ領域と、内側周方向リング及び外側周方向リングと、を含む支持構造体を有するタイヤを形成することと、
前記支持構造体の前記外側周方向リングの周りにショルダーを有するトレッド層を提供することと、
前記ショルダー全体の周囲に周方向に延在する切り抜き部を形成することであって、前記切り抜き部が、少なくとも１つの平坦な表面を有し、軸方向に対して４５°〜１３５°の範囲内にある、形成することと、
前記少なくとも１つの平坦な表面に沿ってしるしを提供することと、
前記タイヤを硬化させることと、を含む、方法。
【請求項１２】
前記切り抜き部を前記形成することが、押出プロセス、３Ｄ印刷プロセス、又は前記トレッド層の切断によって前記切り抜き部を形成することを含む、請求項１１に記載の方法。
【請求項１３】
前記しるしを前記提供することが、前記少なくとも１つの平坦な表面を刻印することを含む、請求項１１に記載の方法。
【請求項１４】
前記しるしを前記提供することが、前記しるしを有するステッカーを、前記少なくとも１つの平坦な表面上に配置することを含む、請求項１１に記載の方法。
【請求項１５】
前記しるしが、前記トレッド層に垂直な前記切り抜き部の径方向に延在する部分上に提供される、請求項１１に記載の方法。
【発明の詳細な説明】
【技術分野】
【０００１】
本開示は、タイヤ標示のための方法及びタイヤ構造を対象とする。より具体的には、タイヤ標示のための空間を有するタイヤ上の凹状の区域を対象とする。
【背景技術】
【０００２】
本空気圧式タイヤは、タイヤのサイドウォール又はショルダー領域に、ブランド、タイヤ仕様などの標示を有することがある。しかしながら、非空気圧式タイヤのサイドウォール及びショルダー領域は、タイヤ標示のための十分な区域を有さない。加えて、空気圧式タイヤ及び非空気圧式タイヤは、トレッド及びサイドウォールの縁部に標示を有することがある。しかしながら、標示をトレッド及びサイドウォールの縁部に配置することにより、標示を摩損させ、標示が特に側面から見て視認可能でなくなってしまう。
【発明の概要】
【０００３】
一実施形態では、非空気圧式タイヤが開示される。この非空気圧式タイヤは、回転軸を有するハブ領域と、内側周方向リング及び外側周方向リングを含む支持構造体と、支持構造体の外側周方向リングの周囲に周方向に延在するトレッド層と、を備える。トレッド層は、トレッド層全体の周囲に周方向に延在する切り抜き部を有するショルダーであって、切り抜き部が、トレッド層ショルダーに沿って少なくとも１つの平坦な表面を有し、少なくとも１つの平坦な表面が、軸方向に対して４５〜１３５°の角度で配設されている、ショルダーと、少なくとも１つの平坦な表面上に配設された少なくとも１つのしるしと、を有する。
【０００４】
別の実施形態では、摩耗部から遮蔽されたしるし標示の区域を有するタイヤの製造方法が開示される。方法は、ハブ領域と、内側周方向リング及び外側周方向リングを含む支持構造と、を有するタイヤを形成することと、トレッド層ショルダー全体の周囲に周方向に延在する切り欠きを形成する支持構造体の外側周方向リングの周りにショルダーを有するトレッド層を提供することであって、切り抜き部が、少なくとも１つの平坦な表面を有し、軸方向に対して４５°〜１３５°の範囲内にある、提供することと、少なくとも１つの平坦な表面に沿ってしるしを提供することと、タイヤを硬化させることと、を含む。
【０００５】
更に別の実施形態では、タイヤは、回転軸、内側リング、及び外側リングを有するハブ領域を含む。支持構造体は、内側リングから外側リングまで延在する。タイヤは、外側リングの周囲に周方向に延在するトレッド層を更に含み、トレッド層は、支持構造体の幅にわたって延在する。平坦な表面は、支持構造体に接続され、トレッド層に垂直である。タイヤはまた、平坦な表面に貼り付けられたアップリケを含む。
【図面の簡単な説明】
【０００６】
添付の図面では、以下の詳細な説明と共に、特許請求される本発明の例示的実施形態を説明する構造が図示される。同様の要素は、同一の参照番号で特定される。単一の構成要素として示される要素は、多数の構成要素に置き換えられてもよく、多数の構成要素として示されている要素は、単一の構成要素に置き換えられてもよいことを理解されたい。図面は正確な縮尺ではなく、特定の要素の比率が説明のために誇張されている場合がある。
【０００７】
【図１】従来のしるし又はタイヤ標示の配置を利用する先行技術の空気圧式タイヤの部分斜視図を示す。
【０００８】
【図２Ａ】タイヤのショルダーに沿ったしるし又はタイヤ標示のための切り抜き部分を有する非空気圧式タイヤ２００の一実施形態の斜視図を示す。
【０００９】
【図２Ｂ】タイヤのショルダーに沿ったしるし又はタイヤ標示の切り抜き部分を示す非空気圧式タイヤ２００の部分断面図を示す。
【００１０】
【図３Ａ】タイヤのショルダー全体に沿ったしるし又はタイヤ標示の面取りされた縁部を有する非空気圧式タイヤ３００の一実施形態の斜視図を示す。
【００１１】
【図３Ｂ】非空気圧式タイヤ３００の部分断面図を示す。
【００１２】
【図４】タイヤのショルダーの一部に沿ったしるし又はタイヤ標示のための面取りされた縁部を有する非空気圧式タイヤの代替の実施形態の部分斜視図を示す。
【００１３】
【図５】しるし又は標示のための切り抜き部分を有するタイヤを製造するための流れ図を示す。
【００１４】
【図６】支持構造体に沿ったしるし又はタイヤ標示ための平坦な表面を有する非空気圧式タイヤの別の代替の実施形態の部分斜視図を示す。
【００１５】
【図７】ハブに沿ったしるし又はタイヤ標示のための平坦な表面を有する非空気圧式タイヤ及びハブ組立体の一実施形態の部分斜視図を示す。
【００１６】
【図８】ハブに沿ったしるし又はタイヤ標示のための平坦な表面を有する非空気圧式タイヤ及びハブ組立体の代替の実施形態の斜視図を示す。
【発明を実施するための形態】
【００１７】
以下は、本明細書において採用される選択用語の定義を含む。定義は、用語の範囲内にあり、そして、実施のために使用され得る構成要素の様々な例又は形式を含む。例は、限定的であることを意図しない。用語の単数形及び複数形は、いずれも定義の範囲内であり得る。定義がタイヤへの言及を含む場合、タイヤモールドへの言及も含むことを理解されたい。
【００１８】
「軸方向の」又は「軸方向に」は、タイヤの回転軸と平行する方向を指す。
【００１９】
「ビード」は、ホイールと接触し、サイドウォールの境界を画定するタイヤの部分を指す。
【００２０】
「周方向の」及び「周方向に」は、軸方向に対して垂直であるトレッドの表面の外周部に沿って延在する方向を指す。
【００２１】
「赤道面」は、タイヤの回転軸に対して垂直であり、タイヤのトレッドの中心部を通る平面を指す。
【００２２】
「径方向の」及び「径方向に」は、タイヤの回転軸に対して垂直である方向を指す。
【００２３】
「サイドウォール」は、トレッドとビードとの間のタイヤの部分を指す。
【００２４】
「トレッド」は、標準的な膨張度及び負荷において、道路と接触するタイヤの部分を指す。
【００２５】
図１は、現在の従来のサイドウォール標示を利用する空気圧式タイヤ１０の斜視図を示す。空気圧式タイヤ１０は、周方向トレッド１２と、第１のビード領域１４ａ及び第２のビード領域１４ｂを含む一対のビード１４領域と、を有する。第１のサイドウォール１６ａは、第１のビード１４ａから周方向トレッド１２まで延在し、第２のサイドウォール（この図には示されていない）は、第２のビード１４ｂから周方向トレッド１２まで延在する。第１のサイドウォール１６ａは、タイヤ標示又はしるし１８のための区域を含む。しかしながら、タイヤのこの領域内の標示又はしるしは、縁石などの物体からの損傷にさらされる。加えて、非空気圧式タイヤは、標示又はしるしを配置するために、同じ利用可能なサイドウォールスペースを有していなくてもよい。
【００２６】
図２Ａは、タイヤ上のタイヤ標示又はしるしのための切り抜き部分２０２を有する非空気圧式タイヤ２００の一実施形態の斜視図を示す。切り抜き部分２０２は、非空気圧式タイヤ２００のトレッド２０４の摩損区域から外れ、縁石（又は他の障害物）摩耗部から保護される場所を画定する。図示された実施形態では、切り抜き部分２０２は、標示の周囲にのみ局在化されている。単一の切り抜き部分２０２がタイヤの各側面に示されているが、複数の切り抜き部分が使用されてもよいことを理解されたい。代替の実施形態では、切り抜き部分は、タイヤの標示を越えて延在してもよい。例えば、切り抜き部分は、タイヤ全体の周囲で周方向に連続していてもよい。
【００２７】
非空気圧式タイヤ２００は、ウェビング又はスポーク構築物であり得る支持構造体２０６を含む。
【００２８】
図２Ｂは、非空気圧式タイヤ２００の拡大断面図を示し、切り抜き部分２０２を示す。図示した実施形態では、切り抜き部分２０２は、横方向に延在する表面２０２ａと、径方向に延在する表面２０２ｂと、を有し、直角を形成する。一実施形態では、標示は、横方向に延在する表面２０２ａ上に配設される。代替の実施形態では、標示は、径方向に延在する表面２０２ｂ上に配設される。
【００２９】
代替の実施形態では、切り抜き部分を形成する表面は、４５〜１３５°の範囲内の角度を画定する。このような実施形態では、径方向に対する横方向表面の角度は−４５〜＋４５であってもよく、径方向に対する径方向の角度は−４５〜＋４５であってもよい。他の実施形態では、カットアウト部分は、タイヤ安定性が維持される限り、これらの範囲外の角度によって画定されてもよい。
【００３０】
代替の実施形態では、切り抜き部分は、３つ以上の表面を有し得る。図示の実施形態では、切り抜き部分２０２は直線状の表面によって画定されているが、表面のうちの１つ以上が湾曲していてもよいことを理解されたい。
【００３１】
標示は、切り抜き部分２０２上に凹んでいてもよい。別の実施形態では、標示は、切り抜き部分２０２上に刻印される。別の実施形態では、標示は、切り抜き部分２０２上に成形されてもよい。別の実施形態では、標示は、切り抜き部分２０２上に塗装されるか、又はインクで適用されてもよい。別の実施形態では、標示は、デカールに適用されてもよく、デカールは切り抜き部分２０２に適用されてもよい。
【００３２】
代替の実施形態（図示せず）では、タイヤは、周方向トレッド領域を有する空気圧式タイヤであり得る。この空気圧式タイヤでは、支持構造体は一対のサイドウォールによって画定され、ハブ領域は、一対のビードによって画定される。このような一実施形態では、トレッド領域とサイドウォールとの間のショルダーに、切り抜き部分が形成される。
【００３３】
図３Ａは、タイヤのショルダー全体に沿ってしるし又はタイヤ標示のための切り抜き部分を形成するアンダーカット３０２を有する非空気圧式タイヤ３００を示す。非空気圧式タイヤ３００は、トレッド３０４と、ウェビング又はスポーク構築物であり得る支持構造体３０６と、を含む。
【００３４】
図示の実施形態では、アンダーカット３０２は、トレッド３０４の外側表面から支持構造体３０６まで延在する。代替の実施形態では、アンダーカットは、トレッドの外側表面から、支持構造体の径方向上方の高さまで延在する。
【００３５】
アンダーカット３０２は、径方向に対して４５〜１３５°の範囲内の角度を有する。標示は、アンダーカットの表面上に配置されてもよい。図示の実施形態では、アンダーカット３０２は、タイヤ全体の周囲に連続的に延在する。代替の実施形態では、アンダーカットは、タイヤの一部分の周囲にのみ延在する。
【００３６】
図３Ｂは、タイヤのショルダー全体に沿ったしるし又はタイヤ標示のアンダーカット３０２を示す非空気圧式タイヤ３００の拡大断面図を示す。図示の実施形態では、アンダーカット３０２は、単一の湾曲した表面によって画定される。代替の実施形態では、アンダーカットは、単一の直線状の表面によって画定される。別の代替の実施形態では、アンダーカットは、複数の表面によって画定される。表面の各々は、直線状であっても湾曲していてもよい。
【００３７】
図２Ａ及び図２Ｂを参照して上述した実施形態と同様に、図３Ａ及び図３Ｂに示される実施形態の代わりに、タイヤは、周方向トレッド領域を有する空気圧式タイヤであり得る。この空気圧式タイヤでは、支持構造体は一対のサイドウォールによって画定され、ハブ領域は、一対のビードによって画定される。このような一実施形態では、トレッド領域とサイドウォールとの間のショルダーに、切り抜き部分が形成される。
【００３８】
図４は、タイヤのショルダーの一部に沿ってしるし又はタイヤ標示のための切り抜き部分を形成する面取りされた縁部４０２を有する非空気圧式タイヤ４００の斜視図を示す。面取りされた縁部４０２は、径方向に対して１０〜８０°の角度で配設されてもよい。図示の実施形態では、面取りされた縁部４０２は、円周の一部分に沿って延在する直線状の表面によって画定される。代替の実施形態では、複数の面取りされた縁部は、タイヤの各側面上に使用されてもよい。別の代替の実施形態では、面取りされた縁部は、タイヤの全周の周囲に延在してもよい。更に別の代替の実施形態では、面取りされた縁部は、曲面によって画定されてもよい。
【００３９】
標示は、面取りされた縁部４０２上に凹んでいてもよい。別の実施形態では、標示は、面取りされた縁部４０２上に刻印される。別の実施形態では、標示は、面取りされた縁部４０２上に成形されてもよい。別の実施形態では、標示は、面取りされた縁部４０２上に塗装されるか又はインクで適用されてもよい。別の実施形態では、標示は、デカールに適用され、面取りされた縁部４０２に適用されてもよい。
【００４０】
上述の他の実施形態と同様に、図４の実施形態の代わりに、タイヤは、周方向トレッド領域を有する空気圧式タイヤであり得る。この空気圧式タイヤでは、支持構造体は一対のサイドウォールによって画定され、ハブ領域は、一対のビードによって画定される。このような一実施形態では、トレッド領域とサイドウォールとの間のショルダーに、切り抜き部分が形成される。
【００４１】
図５は、摩耗部から遮蔽されたしるし標示の区域を有するタイヤを製造するための例示的な方法５００を示す流れ図を示す。５０２において、タイヤは、既知の製造プロセスに従って形成される。タイヤは、空気圧式でも非空気圧式でもよい。トレッド層の周囲に周方向に延在するトレッド層が形成される５０４。形成されたタイヤは、４５°〜１３５°の範囲内の角度を有するトレッドショルダー層５０６上にカットアウト領域を有する周方向トレッドを含む。タイヤ５１０を硬化させる前に、タイヤ標示又はしるしは、少なくとも１つの平坦な表面５０８上に配置される。前述したように、切り抜き部範囲は、タイヤが安定したままである限り、４５°〜１３５°範囲外であってもよく、又はしるしは、トレッドバンドの側縁部の下に配置されてもよく、又はトレッドバンドに接続されていなくてもよい。代替の実施形態では、切り抜き部は、押出プロセス、３Ｄ印刷プロセス、又はゴムの切断によって形成される。別の実施形態では、切り抜き部分は、タイヤ成形プロセス中に形成される。
【００４２】
図６は、非空気圧式タイヤ６００の別の代替の実施形態の部分斜視図を示す。タイヤ６００は、支持構造体６０４の周りに配設された周方向トレッド６０２を含む。図示の実施形態では、支持構造体６０４は、内側リングから外側リングに延在するウェビングである。代替の実施形態では、支持構造体は、複数のスポークであってもよい。
【００４３】
しるし又はタイヤ標示のための平坦な表面６０６は、支持構造体６０４に沿って配設される。図示の実施形態では、単一の平坦な表面６０６は、支持構造体６０４の一部分に沿って延在する。代替の実施形態では、平坦な表面は、支持構造体全体の周囲に周方向に延在する。別の代替の実施形態では、複数の平坦な表面は、支持構造体の周りに離間配置される。
【００４４】
平坦な表面６０６は、成形又は３Ｄ印刷プロセスによって支持構造体６０４上に形成されてもよい。あるいは、平坦な表面６０６は、支持構造体６０４とは別個に形成され、次いで支持構造体６０４に取り付けられてもよい。このような一実施形態では、平坦な表面６０６は、接着剤、締結具（ボルト若しくはねじなど）、又は他の既知の取り付け手段で支持構造体６０４に取り付けられてもよい。
【００４５】
一実施形態では、平坦な表面６０６は、支持構造体６０４と同じ材料で構築される。代替の一実施形態では、平坦な表面６０６及び支持構造体６０４は、異なる材料で構築される。
【００４６】
図７は、非空気圧式タイヤ及びハブ組立体７００の一実施形態の部分斜視図を示す。タイヤ及びハブ組立体７００は、支持構造体７０４の周りに配設された周方向トレッド７０２を有するタイヤを含む。図示の実施形態では、支持構造体７０４は、内側リングから外側リングに延在するウェビングである。代替の実施形態では、支持構造体は、複数のスポークであってもよい。
【００４７】
ハブは、複数のスポーク７０６を含む。しるし又はタイヤ標示のための平坦な表面７０８は、スポーク７０６に沿って配設される。図示の実施形態では、単一の平坦な表面７０８は、スポーク７０６の一部分に沿って延在する。代替の実施形態では、平坦な表面は、全てのスポークの周囲で周方向に延在する。別の代替の実施形態では、複数の平坦な表面は、スポークの周囲に離間配置される。
【００４８】
平坦な表面７０８は、成形又は３Ｄ印刷プロセスによってスポーク７０６上に形成されてもよい。あるいは、平坦な表面７０８は、スポーク７０６とは別個に形成され、次いでスポーク７０６に取り付けられてもよい。このような一実施形態では、平坦な表面７０８は、接着剤、締結具（ボルト若しくはねじなど）、又は他の既知の取り付け手段でスポーク７０６に取り付けられてもよい。
【００４９】
一実施形態では、平坦な表面７０８は、スポーク７０６と同じ材料で構築される。代替の一実施形態では、平坦な表面７０８及びスポーク７０６は、異なる材料で構築される。
【００５０】
図７は、非空気圧式タイヤ及びハブ組立体８００の代替の実施形態の斜視図である。タイヤ及びハブ組立体７００は、支持構造体８０４の周囲に配設された周方向トレッド８０２を有するタイヤを含む。図示の実施形態では、支持構造体８０４は、内側リングから外側リングに延在するウェビングである。代替の実施形態では、支持構造体は、複数のスポークであってもよい。
【００５１】
リング８０６は、タイヤとハブとの間に配設される。一実施形態では、リング８０６は、非空気圧式タイヤの内側リングである。代替の実施形態では、リング８０６はハブの外側リングである。更に別の実施形態では、リングは、非空気圧式タイヤ及びハブとは別個であり、及びこれらに取り付けられる。
【００５２】
図示の実施形態では、しるし又はタイヤ標示のための一対の平坦な表面８０８は、リング８０６から延在する。平坦な表面８０８は、実質的に径方向に延在する。図示の実施形態では、一対の平坦な表面８０８が示されているが、任意の数の平坦な表面がリングから延在してもよいことを理解されたい。例えば、平坦な表面は、リング全体にわたって周方向に延在するフランジであってもよい。
【００５３】
一実施形態では、平坦な表面８０８は、ウェビング８０４と同じ材料で構築される。代替の一実施形態では、平坦な表面８０８及びウェビング８０４は、異なる材料で構築される。
【００５４】
「含む（includes）」又は「含むこと（including）」という用語が、本明細書又は特許請求の範囲において使用される限りにおいて、「含む（comprising）」という用語が特許請求項で移行句として用いられる際の解釈と同様に包括的であることが意図される。更に、「又は（or）」という用語が用いられる限りにおいて（例えば、Ａ又はＢなど）、「Ａ又はＢ、又はＡとＢの両方とも」を意味することが意図されている。本出願人らが「Ａ又はＢの両方ではなく一方のみ」を示すことを意図する場合、「Ａ又はＢの両方ではなく一方のみ」という用語が用いられるであろう。したがって、本明細書における「又は」という用語の使用は、排他的ではなく、包含的である。Ｂｒｙａｎ  Ａ．Ｇａｒｎｅｒ，Ａ  Ｄｉｃｔｉｏｎａｒｙ  ｏｆ  Ｍｏｄｅｒｎ  Ｌｅｇａｌ  Ｕｓａｇｅ  ６２４（２ｄ．Ｅｄ．１９９５）参照。また、「中（in）」又は「中へ（into）」という用語が、本明細書又は特許請求の範囲において使用される限りにおいて、「上（on）」又は「上へ（onto）」を更に意味することが意図される。更に、「接続する（connect）」という用語が本明細書又は特許請求の範囲において使用される限りにおいて、「と直接接続する（directly connected to）」ことだけではなく、別の構成要素を介して接続することなどのように「と間接的に接続する（indirectly connected to）」ことも意味することが意図される。
【００５５】
本開示はその実施形態の記述によって例解され、実施形態は相当に詳細に説明されたが、添付の特許請求の範囲の範囲をこのような詳細に制限するか、又はいかなる形でも限定することは、本出願人らの意図ではない。更なる利点及び改良が、当業者には容易に明らかとなるであろう。したがって、そのより広域な態様における本開示は、示され説明される、特定の詳細、代表的なシステム及び方法、並びに例示の実施例に限定されない。このため、出願人の一般的な発明概念の趣旨又は範囲から逸脱することなく、このような詳細からの逸脱がなされ得る。
【図１】
2022502303.tif 000003
【図２Ａ】
2022502303.tif 000004
【図２Ｂ】
2022502303.tif 000005
【図３Ａ】
2022502303.tif 000006
【図３Ｂ】
2022502303.tif 000007
【図４】
2022502303.tif 000008
【図５】
2022502303.tif 000009
【図６】
2022502303.tif 000010
【図７】
2022502303.tif 000011
【図８】
2022502303.tif 000012
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
タイヤであって、
回転軸を有するハブ領域と、
前記ハブ領域から延在する支持構造体と、
前記支持構造体の周囲に周方向に延在するトレッド層であって、
前記トレッド層が、前記トレッド層全体の周囲に周方向に延在する切り抜き部分を有するショルダーを有し、
前記切り抜き部分が、前記ショルダーに沿って少なくとも１つの平坦な表面を有し、
前記少なくとも１つの平坦な表面が、軸方向に対して４５〜１３５°の角度で配設されている、トレッド層と、
前記少なくとも１つの平坦な表面上に配設された少なくとも１つのしるしと、を含む、タイヤ。
【請求項２】
前記切り抜き部分が、面取りされた縁部である、請求項１に記載のタイヤ。
【請求項３】
前記少なくとも１つの平坦な表面が、刻印された標示を有する、請求項１に記載のタイヤ。
【請求項４】
前記少なくとも１つの平坦な表面が、凹状の標示を有する、請求項１に記載のタイヤ。
【請求項５】
前記しるしが、前記平坦な表面に貼り付けられたアップリケ上に配設される、請求項１に記載のタイヤ。
【国際調査報告】
2022502303.tif 000013
2022502303.tif 000014